(57)【要約】【課題】トレンチ内へ管を吊り降ろす時には、従来切梁が邪魔になるため、切梁を２段に設置し、１段ごとに切梁を掛け替えしながら管をトレンチの底に吊り降ろすので敷設に手間と時間を要することとなる。【解決手段】あらかじめ２本の支柱１１と下梁２０とを接合してＵ字枠を形成しておき、布設管路に沿ってトレンチ２を掘削し、Ｕ字枠を支柱１１がトレンチの両壁に近接するようにトレンチ内に設置し、支柱１１と下梁２０の結合部はピントくさび１３によりＵ字枠の剛性を高め、次に、トレンチ側壁に沿って隣接Ｕ字枠の支柱間に土留め板を設置し、土留めを行う。【選択図】　　　　図１
2004076490.tif 000002
【特許請求の範囲】
【請求項１】
トレンチの幅方向に対向する支柱と、当該支柱の基底部を連結する着脱自在な下梁とから成り、支柱と下梁との結合部に剛性を付与する剛性付与部材を備えたことを特徴とするトレンチの土留め部材。
【請求項２】
前記下梁は両端に幅広部を有する板材とし、支柱には幅広部と面で接するフランジを設け、前記幅広部とフランジにはピン結合する孔を備えると共に前記幅広部と支柱側壁との間にくさびを打込む隙間を設けたことを特徴とする請求項１記載のトレンチの土留め部材。
【請求項３】
あらかじめ支柱と下梁とを接合してＵ字枠を形成しておき、布設管路に沿ってトレンチを掘削し、該Ｕ字枠を支柱がトレンチの両壁にそれぞれ近接するようにトレンチ内に設置し、支柱と下梁との結合部に剛性付与部材を取付けてＵ字枠の剛性を高め、次に、トレンチ側壁に沿って隣接Ｕ字枠の支柱間に土留め板を設置し、土留めを行うことを特徴とするトレンチの土留め方法。
【発明の詳細な説明】
【０００１】
【発明の属する技術分野】
本発明は、例えば地中への管路布設用のトレンチの掘削に使用するトレンチの土留め部材および土留め方法に関する。
【０００２】
【従来の技術】
地中に管路を布設するためトレンチを掘削する場合、その側壁に土留めを施して側壁の崩落を防止する。従来、図６に示すように、地中に埋設すべき管５０を布設する管路に沿ってトレンチ２を掘削し、そのトレンチ２の両側壁面３の地山が崩れないように、軽量鋼矢板１０１をトレンチ側壁部に建て、軽量鋼矢板１０１の表面に軽量鋼矢板１０１を押さえる腹起こし１０２をほぼ水平に配置し、両側壁の腹起こし１０２を突っ張る多数の切梁１０３を用いてトレンチ２の側壁の壁面３の土留めを行っている。
【０００３】
【発明が解決しようとする課題】
従来の土留めでは、軽量鋼矢板１０１、腹起こし１０２、切梁１０３の設置に時間を要することはもとより、トレンチ２内へ管５０を吊り降ろす時には、切梁１０３が邪魔になるため、切梁切梁１０３を２段に設置し、１段ごとに切梁１０３を掛け替えしながら管５０をトレンチ２の底に吊り降ろすようにしており、地中配管の布設に手間と時間を要していた。
【０００４】
このような技術を改善し、切梁１０３の使用を廃止し、作業の能率化を図る技術として特開平１０−８４４５号公報に鋼製Ｕ字形支保工が開示されている。このＵ字形支保工はＨ形鋼などをＵ字形に曲げ加工した一体物であるため、切梁を必要とせずに側壁の鋼矢板を支持することができるが、Ｕ字形支保工を撤去する場合には、Ｕ字形支保工を管長方向に倒し、管の下をくぐらせながら、土留め板と管体との空隙部より重機で吊り上げ、地表面まで持ち運ぶこととなる。そのため撤去時には、重量のあるＵ字形支保工を土留め板と管体との空隙部より吊り上げるため、重機を必要とし、またトレンチの掘削幅を広くする必要がある。
【０００５】
本発明は、このような従来技術に改善を加えた、新しい技術を提供することを目的とする。
【０００６】
【課題を解決するための手段】
本発明は上記問題点を解決するために開発されたもので、その技術手段は、トレンチの幅方向に対向する支柱と、当該支柱の基底部を連結する着脱自在な下梁とから成り、支柱と下梁との結合部に剛性を付与する剛性付与部材を備えたことを特徴とするトレンチの土留め部材である。
【０００７】
この場合、前記下梁は両端に幅広部を有する板材とし、支柱には幅広部と面で接するフランジを設け、前記幅広部とフランジにはピン結合する孔を備えると共に前記幅広部と支柱側壁との間にくさびを打込む隙間を設けたトレンチの土留め部材とすることが好ましい。この剛性付与部材としては例えば下梁の端部と支柱との隙間に打込むくさび等を用いることができる。
【０００８】
本発明の土留め方法は、あらかじめ支柱と下梁とを接合してＵ字枠を形成しておき、布設管路に沿ってトレンチを掘削し、該Ｕ字枠を支柱がトレンチの両壁にそれぞれ近接するようにトレンチ内に設置し、支柱と下梁との結合部に剛性付与部材を取付けてＵ字枠の剛性を高め、次に、トレンチ側壁に沿って隣接Ｕ字枠の支柱間に土留め板を設置し、土留めを行うことを特徴とするトレンチの土留め方法である。この方法によれば、切梁を用いることなく土留めを行うことができるので、管をトレンチ内に敷設することが極めて容易となり、敷設後支柱と下梁との結合部を分解することによって、下梁及び支柱を容易に取除くことができ、土留め板も容易に取去ることができる。従って、地中配管布設工事を省力的に短工期で実施することができる。
【０００９】
【発明の実施の形態】
以下図面を参照して本発明の実施の形態を説明する。図１は本発明の実施例の土留め部材１０を示すトレンチ２の断面図、図２はその平面図である。支柱１１はトレンチ２の側壁面に接して立設しており、その基底部に左右の支柱１１を連結する下梁２０が結合されている。下梁２０は、中央部２１より幅の広い幅広部２３を備えた平板状である。
【００１０】
図３は支柱１１を単独で示した側面図でその平面図を図４に示した。支柱１１は下端に打込刃１２を備え、基底部にフランジ１５を横に張出している。また、支柱１１の両側面には長手方向全長に亘ってＬ字形断面の係止部１４を備えている。この係止部１４には図２に示すように土留め板３１の端部が係止する。張出しフランジ１５にはピン孔１６が設けられている。図５に示す下梁２０は実施例では平板状の鋼板で中央部より幅の広い幅広部２３を備え、ピン孔２２が設けられている。
【００１１】
支柱１１と下梁２０とはピン孔１６と２２を合わせてピン２４を打ち込んで結合し、支柱１１の側面と下梁２０の幅広部２３の端部との隙間にくさび１３を打込み、ピン２４とくさび１３との相互作用によって、支柱１１と下梁２０との結合部を剛性化して固定する。従って、支柱１１と下梁２０とはＵ字枠を形成し、切梁を必要とせずにトレンチの側壁の崩落を支持し、トレンチの形状を保つ。
【００１２】
本発明では、土留め部材が剛性をもつＵ字形状となっているため、切梁を必要とせず、トレンチ内に管を吊り降ろす時には切梁を掛替える手間が不要となり、作業手間及び作業時間の短縮が可能である。また、くさび１３とピン２４を外せば支柱と下梁は容易に分離可能であり、下梁２０は板状となっているため、土留めの撤去時には、土留め板３１と管５０との空隙部が狭い場合においても、容易に撤去することができる。従って、トレンチ２の掘削幅を広くしておく必要はなく、最小限の掘削幅とすればよい。
【００１３】
本発明は、支柱と下梁との結合部に剛性を付与する部材として、楔を設置することによって、掘削状況に応じて土留めの安定を図ることが可能である。
【００１４】
下梁２０の鋼板を面が鉛直になるように配設することによって、支柱１１及び下梁２０をトレンチ２の底面に打込むことが容易となるので支柱１１の設置高さの調整が容易となる。また、下梁２０を板状としたので背が高くなり、土留部材１０のＵ字枠の鉛直面内での曲げ剛性が大きく、また、支柱１１と下梁２０の接合部の剛性を確保することが容易である。また、接合ピン孔を設けるための別の部材取付を必要とせず、鋼板自身に穿孔すればよい。なお、トレンチ２の幅に応じて下梁２０の長さを複数準備することによって、幅の異なる複数のトレンチ２の掘削に対して支柱１１を兼用することができる。また、下梁２０の両端の形状を変えることによって両側の支柱１１が鉛直でなく上方が開いたＵ字形にすることができる。支柱１１と下梁２０の端部との隙間にくさび１３を打込むことにより、支柱１１と下梁２０との結合を簡単に強固な剛性固定結合とすることができる。従って、形成されたＵ字枠が変形するのを完全に防止した剛性結合を容易に得ることができる。くさび１３は豆チェーン等により、支柱１１又は下梁２０に取付けておくと紛失のおそれがない。打込みくさび１３に代り、スクリューくさび、押しボルト、ねじジャッキ等を用いてもよい。また、くさび１３は支柱１１と下梁２０との隙間に打込むもののほかに、支柱１１の下端に取付けたフランジやブラケットに設けた孔と下梁端部近傍に設けた食いちがい孔に打込むくさび又はテーパーピン形式のものでもよい。
【００１５】
本発明のトレンチの土留め方法は、
（イ）あらかじめ支柱と下梁とを接合してＵ字枠を形成し
（ロ）布設管路に沿ってトレンチを掘削し
（ハ）Ｕ字枠を支柱がトレンチの両壁に近接するようにトレンチ内に設置し、
（ニ）支柱と下梁の接合部に剛性付与部材を取付けてＵ字枠の剛性を高め、次に、
（ホ）トレンチ側壁に沿って支柱間に土留め板を設置して土留めを行う。
【００１６】
従って、多数の軽量鋼矢板、腹起こし、切梁を必要とせず、省力化、施工性の向上を図ることが可能である。
【００１７】
【実施例】
直径４００ｍｍ程度の鋼管の地中布設に本発明を適用した。トレンチ寸法は、幅１ｍ程度、深さ２ｍ程度である。支柱は角形鋼□−１５０ｍｍ×８０ｍｍとし、土留め板のガイド用のＬ形鋼Ｌ−４０ｍｍ×４０ｍｍを角形鋼に沿って左右に溶接した形状とした。根入れ部は先を鋭角にした鋼板を取り付けトレンチ内へ設置し易い形状としている。下梁２０は厚さ１９ｍｍの鋼板に支柱との接合用の孔２２を穿孔した。また、図１に示したように、下梁２０の端部と支柱１１との隙間にくさび１３を打込んで支柱１１と下梁２０の結合部に剛性を付与した。
【００１８】
この土留め部材を用いて、上記土留め方法により、地中配管の布設を行った。その結果、本発明によれば、従来に比べ工期短縮およびコストダウンを達成することができた。
【００１９】
【発明の効果】
本発明によれば、支柱の基底部を下梁で連結し、結合部に剛性を付与し、この支柱に土留め板を係止させて土留めするようにしたので、切梁や腹起こしが不要となる。従って、管をトレンチ内に吊り降ろす時にも、トレンチを横断する切梁が存在しないため、なんら支障なく吊り降ろすことができ、作業時間が短縮される。支柱と下梁とはピン接合となっているため、短時間に設置・撤去作業が可能である。管の吊降ろし後の下梁の撤去作業においては、下梁が板状となっており軽量であるため、土留め板と管体との空隙部が狭くても、容易に撤去することが可能である。掘削溝内への支柱および下梁の設置は重機を用いて容易に設置することができ、更に、支柱間に設置する土留め板はトレンチ側壁に沿って落とし込む形式のため、容易にかつ短時間に土留めを行うことが可能である。
【００２０】
本発明は以上のように、土留めの設置、撤去作業が容易で時間短縮が図ることができるとともに、管の吊降ろし時間の短縮も図ることができ、地中配管工事の工期短縮、コストダウンを期待することができるというすぐれた効果を奏する。
【図面の簡単な説明】
【図１】実施例の土留め部材を示すトレンチの横断面図である。
【図２】図１の平面図である。
【図３】支柱の側面図である。
【図４】支柱の平面図である。
【図５】下梁の側面図である。
【図６】従来技術の説明図である。
【符号の説明】
１　　地中
２　　トレンチ
３　　側壁面
１０　　土留め部材
１１　　支柱
１２　　打込刃
１３　　くさび
１４　　係止部
１５　　フランジ
１６　　ピン孔
２０　　下梁
２１　　中央部
２２　　ピン孔
２３　　幅広部
２４　　ピン
３１　　土留め板
５０　　管
１０１　　軽量鋼矢板
１０２　　腹起こし
１０３　　切梁
【図１】
2004076490.tif 000003
【図２】
2004076490.tif 000004
【図３】
2004076490.tif 000005
【図４】
2004076490.tif 000006
【図５】
2004076490.tif 000007
【図６】
2004076490.tif 000008